(57)【特許請求の範囲】
【請求項１】
各遊技機毎に対応して島台に設置される遊技用椅子において、
前記遊技用椅子は、遊技者が着席する座席部と、該座席部裏面に固着されて垂下される垂下部と、該垂下部の下端から床面と平行となるように連続し且つその底面に設けられる車輪によってスライド移動するスライド基部と、からなり、
前記島台の下部には、前記座席部を遊技者が遊技を行う時に使用する使用位置と前記座席部を使用位置よりも遊技機側に寄せた収納位置との間で前記スライド基部をスライド形態にて案内するガイド部材を内蔵すると共に、島台の長手方向下部に設けられる巾木に遊技用椅子の配置位置に対応して凹部が形成され、
前記垂下部は、その下方が前記収納位置で前記凹部に嵌合されるように水平から下方に向かって屈曲して形成されて前記スライド基部の一端と連結されていることを特徴とする遊技用椅子。
【請求項２】
前記ガイド部材には、前記スライド基部が使用位置と収納位置とでそれぞれ移動しないように固定する固定機構を設けたことを特徴とする請求項１に記載の遊技用椅子。
【請求項３】
請求項２に記載の遊技用椅子であって、
前記固定機構は、前記スライド基部が固定される位置に達すると自動的に固定し、この固定状態を解除する操作レバーを設けたことを特徴とする遊技用椅子。
【請求項４】
請求項３に記載の前記操作レバーを遊技用椅子の背面側に設けたことを特徴とする遊技用椅子。
【発明の詳細な説明】
【０００１】
【産業上の利用分野】
本発明は、パチンコ遊技場の遊技機毎に対応して島台に設置される遊技用椅子に関するものである。
【０００２】
【従来の技術】
従来、パチンコ遊技場に設置される遊技用椅子は、島台に設置される遊技機毎に対応して設けられ、遊技用椅子の設置方法を大別すると、遊技機と所定間隔を空けて遊技用椅子の支柱を床面に固定する固定式と、単に床面に遊技用椅子を載置する載置式の２つの方法がある。
【０００３】
【発明が解決しようとする課題】
しかしながら、固定式の遊技用椅子では、大型設備機器等の搬入作業、遊技機の交換作業、島台内部の日常保守点検作業、及び床面の清掃作業において、遊技用椅子が邪魔となって各種作業がしずらく作業能率が上がらないという問題点がある。また、載置式の遊技用椅子では、営業中において、遊技者の故意又は過失により椅子が散乱し美観上好ましくなく、従業員は常時遊技用椅子の整頓作業に気を配らなければならず、また、閉店後においては全ての遊技用椅子の整頓作業をしなければならない。
【０００４】
本発明は、上記した事情に鑑みなされたもので、その目的とするところは、遊技用椅子を必要に応じて適切な位置に移動させることにより、遊技場における各種作業能率の向上を図る遊技用椅子を提供することにある。
【０００５】
【課題を解決するための手段】
上記した目的を達成するため、請求項１の発明は、各遊技機毎に対応して島台に設置される遊技用椅子において、前記遊技用椅子は、遊技者が着席する座席部と、該座席部裏面に固着されて垂下される垂下部と、該垂下部の下端から床面と平行となるように連続し且つその底面に設けられる車輪によってスライド移動するスライド基部と、からなり、前記島台の下部には、前記座席部を遊技者が遊技を行う時に使用する使用位置と前記座席部を使用位置よりも遊技機側に寄せた収納位置との間で前記スライド基部をスライド形態にて案内するガイド部材を内蔵すると共に、島台の長手方向下部に設けられる巾木に遊技用椅子の配置位置に対応して凹部が形成され、前記垂下部は、その下方が前記収納位置で前記凹部に嵌合されるように水平から下方に向かって屈曲して形成されて前記スライド基部の一端と連結されていることを特徴とするものである。
【０００６】
また、請求項２の発明は、請求項１に記載の遊技用椅子であって、前記ガイド部材には、前記スライド基部が使用位置と収納位置とでそれぞれ移動しないように固定する固定機構を設けたことを特徴とするものである。
【０００７】
また、請求項３の発明は、請求項２に記載の遊技用椅子であって、前記固定機構は、前記スライド基部が固定される位置に達すると自動的に固定し、この固定状態を解除する操作レバーを設けたことを特徴とするものである。
【０００８】
また、請求項４の発明は、請求項３に記載の前記操作レバーを遊技用椅子の背面側に設けたことを特徴とするものである。
【０００９】
【実施例】
以下、図面を参照して本発明の実施例について説明する。図１は、島台Ｂ内部を表す断面概略図であり、図２は、遊技用椅子１周辺の島台Ｂ内部を表す一部破断斜視図であり、図３は、ピストン部３の内部構造を表す断面概略図であり、図４は遊技用椅子１の収納状態を表す平面図であり、図５は、島台Ｂ全体を表す斜視図である。
【００１０】
図１に示すように島台Ｂは、高さ方向の中段に複数のパチンコ機Ａが背向列設され、そのパチンコ機Ａ毎に対応して遊技用椅子１が設置されている。遊技用椅子１は、遊技者が着席する本発明の座席部に相当する座部６と、座席部を支持する本発明の垂下部に相当する支柱腕２と、本発明のスライド基部に相当するピストン部３と、座部６を遊技者が遊技を行う時に使用する使用位置（図１の左側に示す遊技用椅子１）と座部６を使用位置よりもパチンコ機Ａ側に寄せた収納位置（図１の右側に示す遊技用椅子１）との間でピストン部３をスライド形態にて案内する本発明のガイド部材に相当する収納枠１２と、遊技用椅子１が使用位置と収納位置で移動しないように固定する本発明の固定機構に相当するローラー錠２３，前停止孔１４，後停止孔１５と、ローラー錠２３，前停止孔１４，後停止孔１５による固定状態を解除する本発明の操作レバーに相当するペタル２１とで構成されている。
【００１１】
まず、遊技者が着席する座部６は、支柱腕２に回転自在で軸着され、座部６の一端には蝶番部８を介して背部７が連結されており、背部７は蝶番部８によって略垂直状態（図１の左側に示す遊技用椅子１）と略水平状態（図１の右側に示す遊技用椅子１）とに折り畳み可能になっている。
【００１２】
次に、座部６を支持する支柱腕２は、内部が中空状に形成され、上端は座部６の裏面中心の取付部（図示省略）に軸着され、下端はピストン部３の一端と連結部９で着脱自在に嵌合されるようになっており、全体的には座部６に軸着されて垂下されるようになっている。また、図１及び図２に示すように、支柱腕２下方の形状は、遊技用椅子１の収納位置で島台Ｂ巾木３０に形成される凹部３１に嵌合されるように逆Ｌ字状で形成されている。また、支柱腕２は、上端から下端にかけて島台Ｂに向かって湾曲する湾曲状となっており、図１に示すように背面側にペタル２１が装設されている。
【００１３】
このような形状により、遊技用椅子１が使用位置にある場合には、座部６下方に遊空間ができ、遊空間に玉箱を置いたりすることができる。また、遊技用椅子１が収納位置にある場合には、巾木３０の平面と支柱腕２下方の平面４とが略同一平面となって、支柱腕２が島台Ｂにほぼ当接した状態で座部６下方に遊空間ができるになっている。よって、巾木３０周辺まで清掃具を往来させることが可能となり、大型清掃機械や清掃具による床面磨き作業が行い易くその作業能率が向上し、また、パチンコ機Ａの交換作業、島台Ｂ内部の日常保守点検作業においては、島台Ｂに近づいた状態で作業を行うことができるため、その作業能率が向上する。
【００１４】
また、ペタル２１が支柱腕２１の背面側に装設されており、遊技者が遊技用椅子１に座った状態ではペタル２１が操作しづらいようになっている。このため、遊技者が座った状態での故意又は過失による不用意な遊技用椅子１の移動を防止して遊技者の安全を確保し、また、収納位置にある遊技用椅子１の操作レバーの操作を容易に行うことができる。
【００１５】
次に、支柱腕２と連結部９で嵌合するピストン部３は、内部が中空状に形成され、全体が床面と平行となるように連続し且つ床面と当接するように略直方体で形成され、底面側にはピストン部３をスライド形態にてスライドさせるための車輪５，５Ａが前後に配置されている。ピストン部３の上面は遊技者の足が引っかかりにくいように蒲鉾状になっている。また、ピストン部３は、ペタル２１の操作により上面の開口から突出した状態と陥没した状態とに変位するローラー錠２３を備えている。
【００１６】
このローラー錠２３は、ピストン部３に内設する板バネ２４に装着され、板バネ２４は基部がピストン部３の底面内側に固定され、揺動部にはワイヤー２２が係止されている。ワイヤー２２は、板バネ２４の揺動部からワイヤーの引張方向を変更するホイール３２を介して支柱腕２のぺタル２１と一体的な伸長梃２６に係止され、支柱腕２とピストン部３の内部に張架されている。
【００１７】
このような構造により、ペタル２１未操作時には、板バネ２４の弾性力でローラー錠２３が突出した状態（図３の点線状態）を維持し、ペタル２１操作時には、伸長梃２６がワイヤを介して板バネ２４の揺動部を引き下げ、板バネ２４の弾性力に抗してローラー錠２３が陥没した状態（図３の実線状態）となるようになっている。
【００１８】
次に、図２を参照して上述したピストン部３を案内すると共に、上述したローラー錠２３を係止してピストン部３の移動を固定する収納枠１２について説明する。１つの収納枠１２は、背向するパチンコ機Ａに対して設けられる２つの遊技用椅子１のピストン部３が島台Ｂ長手方向に対して直角方向で互いに反対方向から挿入可能な２つの収納部１２Ａ，１２Ｂが形成されている。収納部１２Ａ，１２Ｂの上面には、上述したローラー錠２３を係止するための前停止孔１４、後停止孔１５がそれぞれに開口形成されている。この前停止孔１４，後停止孔１５の開口位置は、遊技用椅子１の使用位置と収納位置に対応して形成されている。
【００１９】
次に、遊技用椅子１の移動方法について説明する。遊技用椅子１は、使用位置と収納位置との間で移動可能でそれぞれの位置で固定されるようになっている。使用位置にある遊技用椅子１は、ローラー錠２３が前停止孔１４に係止されていることにより固定されており、収納位置にある遊技用椅子１は、ローラー錠２３が後停止孔１５に係止されていることにより固定されている。それぞれの固定状態は、ペタル２１を押下すると、ワイヤ２２を介してローラー錠２３が陥没してローラー錠２３が前停止孔１４又は後停止孔１５と係止されなくなり、遊技用椅子１が移動可能となる。そして、遊技用椅子１を使用位置と収納位置との間で移動している時には、ローラー錠２３が板バネ２４の弾性力で常時上方へ付勢されているため収納枠１２上面内側に摺動しながら移動し、ローラー錠２３が前停止孔１４又は後停止孔１５に到達すると、板バネ２４の弾性力でローラー錠２３が前停止孔１４又は後停止孔１５に突出してローラー錠２３が係止され、遊技用椅子１が自動的に固定されるようになっている。
【００２０】
このような構造により、遊技用椅子１は使用位置と収納位置で固定され、必要に応じてペタル２１のワンタッチ操作により、遊技用椅子１を使用位置と収納位置に移動させることができる。
【００２１】
以上、実施例に係る遊技用椅子１の構成及び作用について説明したが、本実施例においては、遊技用椅子１を必要に応じて使用位置と収納位置に移動させて固定することにより、以下のような効果を有する。
【００２２】
遊技用椅子１が収納位置にある場合、通路巾が広くなると共に、巾木３０平面と支柱腕２平面４とが略同一平面となって、支柱腕２が島台Ｂにほぼ当接した状態で座部６下方に遊空間ができるようになっている。よって、巾木３０周辺まで清掃具を往来させることが可能となり、大型清掃機械や清掃具による床面磨き作業が行い易くその作業能率が向上し、また、パチンコ機Ａの交換作業、島台Ｂの日常保守点検作業においては、島台Ｂに近づいた状態で作業を行うことができるため、その作業能率が向上する。
【００２３】
また、遊技用椅子１が収納位置で固定されるようになっているため、遊技用椅子１が不用意に移動することを防止できる。これにより、清掃作業やパチンコ機Ａの交換作業、島台Ｂの日常保守点検作業時に遊技用椅子１が移動することに気を配らなくて良く、作業の能率がさらに向上する。
【００２４】
また、遊技用椅子１が使用位置で固定されるようになっているため、遊技用椅子１が不用意に移動することを防止できる。これにより、不用意に移動することなく遊技者が安定した状態で着席して遊技することができ、また、従業員は空いている遊技用椅子１の整頓作業に気を配らなくて良くなる。
【００２５】
また、使用位置と収納位置との間でスライドさせて遊技用椅子１を移動させるため、遊技用椅子１を移動させやすく、遊技用椅子１の設計においても座部６の使用位置と収納位置が決まれば設計が容易である。
【００２６】
また、遊技者が跨ぐ部分であるピストン部３を床面と平行且つ当接するように極めて低く形成したため、誰でも容易に跨げ遊技者の離着席の利便性を向上でき、また、ピストン部６が床面と当接していることにより、遊技用椅子１全体を安定した状態で支持し、遊技用椅子１をスムーズにスライドさせることができる。
【００２７】
また、移動される遊技用椅子１が使用位置又は収納位置に達すると、板バネ２４の弾性力により自動的に固定されるため、固定する位置を考慮することなく、移動させるだけで適切な位置に固定することができる。
【００２８】
尚、図示の実施例では、パチンコ機Ａを示したが、他の遊技機としてスロット機であっても良い。また、支柱腕２とピストン部３の連結は、ピストン部３の内壁にクサビ状に嵌合する突起を形成して支柱腕２を差し込んで連結したり、ビス等で螺着して連結しても良く、着脱自在で且つ堅固に連結されるものであれば限定されるものではない。また、収納枠１２とピストン部３の形成は、予め島台Ｂの製造工程で一体的に形成しても良い。例えば、図４のように６台のパチンコ機Ａでユニット化された島台Ｂには３組の収納枠１２が形成される。また、支柱腕２及びピストン部３の形状、材質は特に限定されるものではない。また、遊技用椅子１においても、形状等は特に限定されるものではない。また、遊技用椅子１の移動を電気的な機構で一括制御すれば、遊技用椅子１の移動を的確、迅速にできる。また、本発明は、実施例に限定されないことは言及するまでもない。
【００２９】
【発明の効果】
以上、説明したところから明らかなように、請求項１の発明においては、遊技用椅子が使用位置と収納位置とに移動可能であるため、使用位置で遊技者が遊技用椅子を使用することができ、収納位置で清掃作業、遊技機の交換作業、島台の日常保守点検作業等の各種作業を島台に近づいた状態で行うことができる。
【００３０】
また、遊技者が跨ぐ部分であるスライド基部を床面と平行且つ車輪を介して当接するように極めて低く形成したため、誰でも容易に跨げ遊技者の離着席の利便性が向上され、また、スライド基部が車輪を介して床面と当接していることにより、遊技用椅子全体が安定した状態で支持され座った時の安定感を得ることができ、また、遊技用椅子をスムーズにスライドさせることができる。
【００３１】
また、請求項２の発明においては、遊技用椅子が収納位置と使用位置で固定することができるため、収納位置で行う上述した各種作業を座席部が移動して作業が繁雑になったりすることなく行うことができ、さらに作業能率が向上する。また、使用位置では不用意に移動することなく遊技者が安定した状態で遊技することができ、従業員は空いている遊技用椅子１の整頓作業に気を配らなくても良くなる。
【００３２】
また、請求項３の発明においては、請求項２の効果に加え、スライド基部が固定される位置に達すると自動的に固定されることにより、座席部を固定する位置を考慮することなく、移動させるだけで適切な位置に固定することができる。また、この固定状態を解除する操作レバーを設けたことにより、操作レバーを故意的に操作しなければ座席部が移動することはなく、操作レバーの故意的な操作で座席部を使用位置と収納位置との間で移動させることができる。
【００３３】
また、請求項４の発明においては、請求項３の効果に加え、操作レバーを遊技用椅子の背面側に設けたことにより、遊技者が遊技用椅子に座った状態での不用意な移動を防止でき、また、収納位置にある遊技用椅子の操作レバーの操作を容易に行うことができる。
【図面の簡単な説明】
【図１】本実施例の島台内部を表す断面概略図である。
【図２】本実施例の遊技用椅子周辺の島台内部を表す一部破断斜視図である。
【図３】本実施例のピストン部の内部構造を表す断面概略図である。
【図４】本実施例の遊技用椅子の収納状態を表す平面図である。
【図５】本実施例の島台全体を表す概略斜視図である。
【符号の説明】
１‥遊技用椅子、２‥支柱腕、３‥ピストン部、５，５A‥誘導車、８‥蝶番部、
１２‥収納枠、１４‥前停止孔、１５‥後停止孔、２２‥ワイヤ−、２３‥ロ−ラ−錠、２６‥伸長テコ。
【図１】
0003558091.tif 000002
【図２】
0003558091.tif 000003
【図３】
0003558091.tif 000004
【図４】
0003558091.tif 000005
【図５】
0003558091.tif 000006